(57)【要約】【課題】原稿のみを用いた「片−両」原稿を作成する複写装置を提供する。原稿のカウントや、仕分けを行わず、随時上から奇数枚目は転写紙、偶数枚目は原稿として用いることにより、原稿がいたまず、スピードも速く複写動作を行うことができる。【解決手段】原稿置載トレイと、原稿置載トレイより転写紙パスに原稿を搬送する搬送手段と、前記原稿置載トレイの一番上の原稿を前記転写紙パスに搬送し、次に一番上にある原稿を前記転写紙パス上の原稿の裏面に複写する複写手段と、前記複写手段の動作を前記原稿置載トレイに原稿がなくなるまで続ける複写制御手段とによりなる。【選択図】　　　　図１
2004109186.tif 000002
【特許請求の範囲】
【請求項１】
複写手段と、
原稿を置載する原稿置載手段と、
前記原稿置載手段より原稿が移動され、実際に前記複写手段が複写する原稿を蓄積する複写原稿蓄積手段と、
前記複写手段が前記原稿蓄積手段に蓄積された原稿を読み取る画像読取手段と、
前記複写手段が画像を形成する転写紙を蓄積する転写紙蓄積手段と、
前記複写手段が画像を形成した後の複写紙を蓄積する複写紙蓄積手段と、
前記原稿置載手段に原稿が置載されていることを検知する原稿検知手段と、
前記原稿置載手段上の原稿を前記原稿蓄積手段、及び前記転写紙蓄積手段に搬送する原稿搬送手段と、
前記原稿の最も表面側となる原稿を前記原稿搬送手段によって前記転写紙蓄積手段に原稿裏面が画像形成面となるよう蓄積する第１の原稿搬送制御手段と、
前記原稿置載手段に置載された原稿の最も表面側となる原稿を前記原稿搬送手段によって前記原稿蓄積手段に搬送して原稿表面が画像読み取り面となるように蓄積するよう制御する第２の原稿搬送制御手段と、
前記複写手段によって、前記原稿蓄積手段に蓄積された原稿を前記転写紙蓄積手段に蓄積された原稿の裏面に複写し、前記複写紙蓄積手段に蓄積する第１の複写制御手段と、
前記転写紙蓄積手段に蓄積された原稿を、複写を行わずに前記複写紙蓄積手段に搬送する第２の複写制御手段と、
複写動作を開始する第１のステップと、前記第１のステップに引き続き前記原稿検知手段によって原稿を検知する第２のステップと、前記第２のステップにおいて原稿がある時に前記第１の原稿搬送制御手段を実行する第３のステップと、前記第３のステップ終了後に前記原稿検知手段によって原稿を検知する第４のステップと、前記第４のステップにおいて原稿があると検知した時に前記第２の原稿搬送手段を実行し、引き続いて前記第１の複写制御手段を実施し、前記第２のステップに戻る第５のステップと、前記第２のステップの時に原稿検知手段によって原稿がないと検知したときは、前記複写動作を終了させる第６のステップと、前記第４のステップにおいて原稿がないと検知した時は前記第２の複写制御手段を実行した後、前記第６のステップに移行する第７のステップと、によってなる制御ステップ制御手段と、
によってなる複写装置。
【発明の詳細な説明】
【０００１】
【発明の属する技術分野】
本発明は、自動原稿送り機構と、原稿を転写紙として用いる事のできる複写装置に関するものである。
【０００２】
【従来の技術】
従来より自動原稿送り機構を搭載する複写装置において、原稿の片面あるいは両面を転写紙の片面あるいは両面に複写する手法の組み合わせが広く知られている。一つはいわゆる通常の複写モードといわれる「片−片」モードと呼ばれる、原稿の片面を転写紙の片面に複写するモードである。
【０００３】
また、原稿の片面を転写紙の両面に複写するモードは「片−両」、両面を両面に印刷する事は「両−両」、両面を片面に印刷する事は「両−片」と呼ばれている。
【０００４】
「両−両」および、「両−片」モードは、両面に印刷されている原稿を活用するに重要なモードであり、これら両面を扱うモードによって、情報を安心して両面に保持して置く事ができる。すなわち、「両−両」は、両面に印刷されている原稿をそのままコピーするために、「両−片」はある事情（例えばＯＨＰへの複写）で片面のみに複写するために必要なモードである。
【０００５】
一方、「片−両」モードは、片面のみに印刷された原稿を両面に複写することによって、実際に両面の原稿を作成する用途に用いられる。その結果、同じ情報量が半分の転写紙に複写される事となり、例えばこの特徴を生かして、会議用の資料の枚数を「片−片」複写モードによるものの半分にしたり、ストックする資料の枚数を半分にするなどが行われている。
【０００６】
上記「片−両」モードによって資料をストックするためには、「片−両」の「１ｔｏ１」コピーによって新しい転写紙に両面に印刷された原稿を生成するが、資料をストックするために用いた以上、元々原稿であったものは、廃棄せざるを得なくなっていた。
【０００７】
また、前述の原稿の廃棄を避けるために、先出の発明「複写手法及び、それを用いた複写装置」においては、ｎ枚の原稿が印刷面を上にして上から降順に重ねられている時に、上部から順番に奇数枚目の原稿の裏面に、上部から偶数枚目の原稿の内容をコピーしてスタックし、原稿が奇数枚の時は、最後の原稿はあまるので、そのまま蓄積するように制御する制御手段を搭載する複写装置を提供していた。先出の発明では、これを「原稿片−両」と呼んでおり、本明細書においても、同様に呼ぶ事とする。
【０００８】
上記の動作の実現のためには、自動原稿送り装置の原稿置載トレイから、転写紙として使う原稿（原稿上部から奇数枚目の原稿）と、原稿として使う原稿（原稿上部から偶数枚目の原稿）の仕分けを行う必要がある。先出の発明の場合、従来あった複写機の機構を最大限生かすために、転写紙として使う原稿は、例えばマルチトレイなどに仕分けしてストックし、原稿として使う原稿は、再度原稿置載トレイに戻す動作を繰り返す。
【０００９】
自動原稿送り装置の原稿置載トレイからの原稿を再度用いるために再度原稿置載トレイに戻す動作を行う場合、たとえ前述のトレイに置載された原稿の上部から機構的に給紙可能であっても、前述のトレイの下部からしか給紙できないという性質がある。なぜならば、原稿を再び原稿置載トレイに戻す時は、最上部から置載するのみであり、最下部に戻すという事は、非常に困難で、コスト要因も考えると不可能に近いからである。これは、問題点というよりも、本来自動原稿送り装置の持つ基本的性質といえる。従って、原稿を原稿置載トレイから給紙し、必要に応じて原稿置載トレイに戻す動作を行うには、最下部から給紙する以外にない。
【００１０】
しかしながら、先出の発明の請求項は「原稿の上部から奇数番め…」であるから、同様の効果を原稿の最下部から給紙する事で得るように制御しなければならない。原稿の最下部にある原稿は、原稿が奇数枚ある時は上から数えて奇数枚目の原稿、原稿が偶数枚ある時は、上から数えて偶数枚目の原稿である。例えば、原稿が５枚ある時は最下部にある原稿は５枚目にあるので奇数枚目、原稿が４枚ある時は、最下部にある原稿は４枚目にあるので偶数枚目となる。従って、原稿の最下部から給紙を行って前述の原稿の仕分けを行う場合、その時点で、原稿が全部で奇数枚あるのか、偶数枚あるのかがわかってなければならない。
【００１１】
従って、従来は、予め原稿をカウントした上で、置載原稿の下部から順番に仕分けをし、上から奇数番目の原稿が前述の転写紙トレイに置載され、上から偶数番目の原稿が原稿として蓄積されるように制御し、転写紙トレイに置載された原稿の裏面に原稿として蓄積された原稿の原稿面が複写されるように制御する事で、元々の原稿の奇数番目の原稿の裏面に、元々の原稿の偶数番目の原稿が複写されるように制御していた。
【００１２】
【発明が解決しようとする課題】
しかしながら、上記従来例においては、一旦カウント（プリカウント）してから仕分けを行うため、原稿の仕分けに時間がかかるとともに、原稿がいたみやすいという問題点があった。
【００１３】
またさらに、一旦マルチトレイなどにスタック（プリスタック）してからコピー動作を開始するため、ここでもスループットを下げる要因が発生していた。
【００１４】
本発明は、このような問題点を解決するためになされたものであり、プリカウント・プリスタックを省きながら従来例と同様の効果である「原稿片−両」を実施する複写装置を提供する事を目的とする。
【００１５】
特に、複写モードに制限のある、例えばいわゆるアナログ複写機における「原稿片−両」を実現するものである。
【００１６】
【課題を解決するための手段】
上記目的を達成するため、請求項１の本発明は、複写手段と、原稿を置載する原稿置載手段と、前記原稿置載手段より原稿が移動され、実際に前記複写手段が複写する原稿を蓄積する複写原稿蓄積手段と、前記複写手段が前記原稿蓄積手段に蓄積された原稿を読み取る画像読取手段と、前記複写手段が画像を形成する転写紙を蓄積する転写紙蓄積手段と、前記複写手段が画像を形成した後の複写紙を蓄積する複写紙蓄積手段と、前記原稿置載手段に原稿が置載されていることを検知する原稿検知手段と、前記原稿置載手段上の原稿を前記原稿蓄積手段、及び前記転写紙蓄積手段に搬送する原稿搬送手段と、前記原稿の最も表面側となる原稿を前記原稿搬送手段によって前記転写紙蓄積手段に原稿裏面が画像形成面となるよう蓄積する第１の原稿搬送制御手段と、前記原稿置載手段に置載された原稿の最も表面側となる原稿を前記原稿搬送手段によって前記原稿蓄積手段に搬送して原稿表面が画像読み取り面となるように蓄積するよう制御する第２の原稿搬送制御手段と、前記複写手段によって、前記原稿蓄積手段に蓄積された原稿を前記転写紙蓄積手段に蓄積された原稿の裏面に複写し、前記複写紙蓄積手段に蓄積する第１の複写制御手段と、前記転写紙蓄積手段に蓄積された原稿を、複写を行わずに前記複写紙蓄積手段に搬送する第２の複写制御手段と、複写動作を開始する第１のステップと、前記第１のステップに引き続き前記原稿検知手段によって原稿を検知する第２のステップと、前記第２のステップにおいて原稿がある時に前記第１の原稿搬送制御手段を実行する第３のステップと、前記第３のステップ終了後に前記原稿検知手段によって原稿を検知する第４のステップと、前記第４のステップにおいて原稿があると検知した時に前記第２の原稿搬送手段を実行し、引き続いて前記第１の複写制御手段を実施し、前記第２のステップに戻る第５のステップと、前記第２のステップの時に原稿検知手段によって原稿がないと検知したときは、前記複写動作を終了させる第６のステップと、前記第４のステップにおいて原稿がないと検知した時は前記第２の複写制御手段を実行した後、前記第６のステップに移行する第７のステップと、によってなる制御ステップ制御手段と、によってなることを特徴とする。
【００１７】
【発明の実施の形態】
以下に、図面を参照して、この発明の好適な実施の形態を例示的に詳しく説明する。但し、この実施の形態に記載されている構成部品の寸法、材質、形状、その相対位置などは、特に特定的な記載がない限りは、この発明の範囲をそれらのみに限定するものではない。
【００１８】
なお、以下の説明では、複写装置及び手段について説明するが、これから説明する部分以外の複写動作及び用紙ハンドリングに関する動作については、公知技術であるので、本発明の説明において特に重要となる部分のみ説明し、他は略する。
【００１９】
図１〜図５を参照にして、本発明の実施の形態に係る画像読み取り装置について説明する。
【００２０】
図１は、本発明を搭載する複写装置の一例である。
【００２１】
複写手段１は、原稿台５に置載された原稿を読取り、転写紙トレイ３に置載された転写紙上に複写し、排紙トレイ６に排紙する。これら、複写手段１の動作は全て、公知の技術に基づくものである。また、複写動作は、トレイ３に置載された転写紙のみならず、既に搬送ローラー９によって鋏合された用紙や、前記搬送ローラー９によってレジストローラー１０に突き当てられた用紙についても行う事ができる。
【００２２】
転写紙トレイ３は、転写紙を蓄積し、複写手段１に転写紙を供給する。
【００２３】
原稿−転写紙パス４は、後述する原稿搬送装置２からの原稿を搬送ローラー９に導き、複写動作を行う転写紙として用いる事ができる。動作内容については後述する。
【００２４】
原稿搬送装置２は、原稿置載トレイ７上に置載される原稿の上部から取り出し、原稿台５に搬送する事ができる。
【００２５】
また、原稿台５上に搬送された原稿は、原稿排紙トレイ８上に搬送される、原稿−転写紙パス４に搬送されると、必要に応じて２個所に排出する事ができる。
【００２６】
これらの動作は全てＣＰＵ（図示しない）からの司令によって行われる。
【００２７】
図２を用いて、本発明における特徴的な動作である原稿台５から搬送ローラー９まで原稿を搬送する動作について説明する。
【００２８】
このとき、原稿搬送装置２によって搬送された原稿は、そのまま矢印別の方向に搬送される。この時、搬送ローラー９は＃１の方向に回転する事で、原稿−転写紙パス４にある原稿を抜き取る。また、原稿（転写紙）が＃２の状態となった時は搬送ローラー９は、＃２の方向に回転し、転写紙は、矢印＃２の方向に搬送され、複写装置１における転写紙の用に給する事ができる。
【００２９】
図３より、順を追って、本発明におけるモードの動作における原稿の振る舞いについて説明する。
【００３０】
図３においては、５枚の原稿が原稿トレイ７に置載されており、モードスタートキー（図示しない）を押す事によって、動作を開始する。原稿トレイ７に置載された原稿は、上部から順に給紙される。
【００３１】
図４、図５において、実際の動作について説明する。図４においては原稿が奇数枚時の動作であるが、偶数枚時も基本的に変わりはないので、併せて後述する。
【００３２】
図３のように置載された原稿のうち、最初は一番上に置載されている原稿▲１▼が給紙される。給紙された原稿▲１▼は、原稿−転写紙パス４によって搬送され、転写紙トレイ３に置載され、図５（ａ）の状態となる。なお、各図において、中部は原稿トレイ７、上方右は原稿排紙トレイ８、右側は転写紙トレイ３、左側は転写紙排紙トレイ６とする。また、この場合の原稿▲１▼は、実際には搬送ローラー９に鋏合されており、完全には転写紙トレイ３に置載されていないが、便宜上このように図示する。
【００３３】
次に、原稿搬送装置２は、原稿置載トレイ７上の原稿の最も上にある原稿（▲２▼）を、原稿台５上に搬送する。複写手段２は、転写紙トレイ３にある転写紙（▲１▼）を搬送し、原稿▲２▼上の画像を転写紙▲１▼上に複写して排出する（ｂ）。原稿▲２▼は、原稿排紙トレイ８に排紙される。
【００３４】
同様に、原稿▲３▼、▲４▼においても、最初に一番上に置載されている原稿▲３▼が給紙される。給紙された原稿▲３▼は、原稿−転写紙パス４によって搬送され、一旦転写紙トレイ３に置載される。次に、原稿搬送装置２は、次に原稿置載トレイ７上の原稿の最も上にある原稿である（▲４▼）を、原稿台５上に搬送する。複写手段２は、転写紙トレイ３にある転写紙（▲９▼）を搬送し、原稿▲４▼上の画像を転写紙▲３▼上に複写して排出する（ｃ）。原稿▲４▼は、原稿排紙トレイ８に排紙される。
【００３５】
最後に、転写紙▲５▼は、画像を形成するべき原稿がないので、一旦転写紙トレイ３に移動後、そのまま何もせずに複写手段２を通過し、排紙トレイ６上に排紙する。
【００３６】
以上のアルゴリズムで、原稿置載トレイ７に最初に置載された原稿の、上から奇数枚目の原稿の裏面に、上から偶数番目の原稿の内容をコピーする事ができる。
【００３７】
この場合は、原稿▲１▼の面が下向きとなっており、出力内容は、片−両をフェイスダウンで出力したものと同等となる。また、上下関係については、搬送方向を上下向きとして設定した場合のみの動作である。つまり、通常のビジネス原稿のようにＡ４縦で上下関係のある書類の場合は、原稿は搬送方向、すなわち、縦送りでセットする必要がある。
【００３８】
偶数原稿の枚数であるが、これまで述べてきたアルゴリズムを見ても分かるとおり、例えば原稿が４枚であったとすると、図５の（ｃ）において原稿▲５▼がない状態となり、この時点で複写動作がすべて終了している事となる。
【００３９】
図５におけるフローチャートを用いて、本発明における一般的なアルゴリズムについて説明する。
【００４０】
「原稿片−片モード」に設定し、コピーを開始すると（Ｓ５０１）、原稿置載トレイ７上に原稿がある場合は（Ｓ５０２）、原稿置載トレイ７上の一番上の原稿を転写紙トレイ３へ移動する（Ｓ５０３）。もしここで、トレイ７上に原稿がある場合は（Ｓ５０４）、転写紙トレイ３上の原稿（転写紙）に原稿置載トレイ７上の一番上の原稿をコピーしてトレイ６に排出する。もし、Ｓ５０２でトレイ７上に原稿がなければ、トレイ３条にも原稿はないので（Ｓ５０６）、そのまま終了する。
【００４１】
もし、Ｓ５０４でトレイ７上に原稿がなければ、トレイ５０６上でトレイ３上に原稿（転写紙）が存在するので、Ｓ５０６において画像形成せず排出する。
【００４２】
以上のアルゴリズムによって、本発明によって請求されている「原稿片−両」を行う事ができる。
【００４３】
【発明の効果】
これまで説明したとおり、本発明は、片面原稿を紙資源を無駄にすることなく両面原稿に変換できる「原稿片−両」モードが効率よく実行可能なアナログ複写装置を提供する事ができる。
【００４４】
特に、画像モードに制限のある（変倍程度にしか対応しない）アナログ複写装置において好適となるものである。
【図面の簡単な説明】
【図１】本発明の第１の実施の形態に係る複写装置が適用された画像形成装置の概略構成図である。
【図２】本発明の第１の実施の形態に係る原稿搬送の概略説明図である。
【図３】本発明の第１の実施の形態に係る最初に原稿が原稿トレイに置載された状態図である。
【図４】（ａ）〜（ｄ）本発明の実施の形態に係る複写動作時の原稿の移動の状態図である。
【図５】本発明の実施の形態に係る動作のフロー図である。
【図１】
2004109186.tif 000003
【図２】
2004109186.tif 000004
【図３】
2004109186.tif 000005
【図４】
2004109186.tif 000006
【図５】
2004109186.tif 000007